【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
チリダニのフンを中和する方法であって、
約０．０１から約５００までのＢＡＰＮＡ−トリプシン抑制物（ＩＣ50×１０-3（％、ｖ／ｖ））を有する水溶性植物エキスを水の中に導入して水性植物エキス溶液を形成し、前記植物エキスが、リンゴ緑茶、アーキンスペシャル、アルニカスペシャル、アボカド、アボカドＧＷ、ブラックカラント緑茶、セイヨウバラ、ウングイスカティ、Ｃｅｍｉｌａ  Ｏｌｅｏｆｅｒａ、センテラ、クランベリー緑茶、たんぽぽ、ガルシニア、グレープシード、グレープフルーツ緑茶、緑茶、濃縮緑茶、緑茶ＨＳ、Ｈｅｘａｐｌａｎｔ  Ｒｉｃｈｅｒ、ハイビスカススペシャル、ハイドロコチレＧＲ、ラベンダー、セイヨウトチノキ、オオアザミ、オレンジ緑茶、Ｐｈｙｔｅｘｃｅｌｌアルニカ、パープルコーンフラワー、セージＧＷ、セージスペシャル、Ｓｅｄａｐｌａｎｔ  Ｒｉｃｈｔｅｒ、セントジョンズワート、ウィッチヘーゼルＧＷ、ノコギリソウ、及びこれらの組み合わせで構成された群から選択されるものであり、
チリダニのフンを前記水性植物エキス溶液と接触させる、
ことからなる方法。
【請求項２】
前記チリダニのフンを前記水性植物エキス溶液と接触させることが、該水性植物エキス溶液を噴霧して、該チリダニのフンを噴霧された水性植物エキス溶液と接触させることからなる請求項１に記載の方法。
【請求項３】
前記噴霧された水性植物エキス溶液が、約１０００マイクロメートルを超えない平均液滴サイズを有する請求項２に記載の方法。
【請求項４】
チリダニのフンを中和する方法であって、
約０．０１から約５００までのＢＡＰＮＡ−トリプシン抑制物（ＩＣ50×１０-3（％、ｗ／ｖ））を有する水溶性植物エキスを水の中に導入して水性植物エキス溶液を形成し、前記植物エキスがグレープシードエキス、緑茶エキストラ、白茶５０％からなる群から選択されるものであり、
チリダニのフンを前記水性植物エキス溶液と接触させる、
ことからなることを特徴とする方法。
【請求項５】
前記チリダニのフンを前記水性植物エキス溶液と接触させることが、該水性植物エキス溶液を噴霧して、該チリダニのフンを噴霧された水性植物エキス溶液と接触させることからなる請求項４に記載の方法。
【請求項６】
前記噴霧された水性植物エキス溶液が、約１０００マイクロメートルを超えない平均液滴サイズを有する請求項５に記載の方法。
【請求項７】
チリダニのフンを中和する方法であって、
約０．０１から約５００までのＢＡＰＮＡ−トリプシン抑制物（ＩＣ50×１０-3（％、ｖ／ｖ又はｗ／ｖ））、及び、水において、少なくとも約０．５重量％の可溶性を有する水溶性植物エキスを水の中に導入して水性植物エキス溶液を形成し、前記植物エキスがリンゴ緑茶、アーキンスペシャル、アルニカスペシャル、アボカド、アボカドＧＷ、ブラックカラント緑茶、セイヨウバラ、ウングイスカティ、Ｃｅｍｉｌａ  Ｏｌｅｏｆｅｒａ、センテラ、クランベリー緑茶、たんぽぽ、ガルシニア、グレープシード、グレープフルーツ緑茶、緑茶、濃縮緑茶、緑茶ＨＳ、Ｈｅｘａｐｌａｎｔ  Ｒｉｃｈｅｒ、ハイビスカススペシャル、ハイドロコチレＧＲ、ラベンダー、セイヨウトチノキ、オオアザミ、オレンジ緑茶、Ｐｈｙｔｅｘｃｅｌｌアルニカ、パープルコーンフラワー、セージＧＷ、セージスペシャル、Ｓｅｄａｐｌａｎｔ  Ｒｉｃｈｔｅｒ、セントジョンズワート、ウィッチヘーゼルＧＷ、ノコギリソウ、緑茶エキストラ、グレープシードエキス、白茶５０％、及びこれらの組み合わせで構成された群から選択されるものであり、
チリダニのフンを前記水性植物エキス溶液と接触させる、
ことからなることを特徴とする方法。
【請求項８】
前記チリダニのフンを前記水性植物エキス溶液と接触させることが、該水性植物エキス溶液を噴霧して、該チリダニのフンを噴霧された水性植物エキス溶液と接触させることからなる請求項７に記載の方法。
【請求項９】
前記噴霧された水性植物エキス溶液が、約１０００マイクロメートルを超えない平均液滴サイズを有する請求項８に記載の方法。
【請求項１０】
前記植物エキスが、緑茶エキストラ、グレープシードエキス、及び白茶５０％で構成された群から選択される請求項７に記載の方法。
【請求項１１】
チリダニのフンを中和する方法であって、
約０．０１から約５００までのＢＡＰＮＡ−トリプシン抑制物（ＩＣ50×１０-3（％、ｖ／ｖ又はｗ／ｖ））、及び、水において、少なくとも約１重量％の可溶性を有する水溶性植物エキスを水の中に導入して水性植物エキス溶液を形成し、前記植物エキスが、リンゴ緑茶、アーキンスペシャル、アルニカスペシャル、アボカド、アボカドＧＷ、ブラックカラント緑茶、セイヨウバラ、ウングイスカティ、Ｃｅｍｉｌａ  Ｏｌｅｏｆｅｒａ、センテラ、クランベリー緑茶、たんぽぽ、ガルシニア、グレープシード、グレープフルーツ緑茶、緑茶、濃縮緑茶、緑茶ＨＳ、Ｈｅｘａｐｌａｎｔ  Ｒｉｃｈｅｒ、ハイビスカススペシャル、ハイドロコチレＧＲ、ラベンダー、セイヨウトチノキ、オオアザミ、オレンジ緑茶、Ｐｈｙｔｅｘｃｅｌｌアルニカ、パープルコーンフラワー、セージＧＷ、セージスペシャル、Ｓｅｄａｐｌａｎｔ  Ｒｉｃｈｔｅｒ、セントジョンズワート、ウィッチヘーゼルＧＷ、ノコギリソウ、緑茶エキストラ、グレープシードエキス、白茶５０％、及びこれらの組み合わせで構成された群から選択されるものであり、
チリダニのフンを前記水性植物エキス溶液と接触させる、
ことからなることを特徴とする方法。
【請求項１２】
前記チリダニのフンを前記水性植物エキス溶液と接触させることが、該水性植物エキス溶液を噴霧して、該チリダニのフンを噴霧された水性植物エキス溶液と接触させることからなる請求項１１に記載の方法。
【請求項１３】
前記噴霧された水性植物エキス溶液が、約１０００マイクロメートルを超えない平均液滴サイズを有する請求項１２に記載の方法。
【請求項１４】
チリダニのフンを中和するための水性組成物であって、前記組成物が約０．０１から約５００までのＢＡＰＮＡ−トリプシン抑制物（ＩＣ50×１０-3（％、ｖ／ｖ又はｗ／ｖ））を有する水溶性植物エキスを含むことを特徴とする水性組成物。
【請求項１５】
前記植物エキスが、水において、少なくとも約１０％（ｖ／ｖ又はｗ／ｖ）の可溶性を有する請求項１４に記載の水性組成物。
【請求項１６】
前記植物エキスが、リンゴ緑茶、アーキンスペシャル、アルニカスペシャル、アボカド、アボカドＧＷ、ブラックカラント緑茶、セイヨウバラ、ウングイスカティ、Ｃｅｍｉｌａ  Ｏｌｅｏｆｅｒａ、センテラ、クランベリー緑茶、たんぽぽ、ガルシニア、グレープシード、グレープフルーツ緑茶、緑茶、濃縮緑茶、緑茶ＨＳ、Ｈｅｘａｐｌａｎｔ  Ｒｉｃｈｅｒ、ハイビスカススペシャル、ハイドロコチレＧＲ、ラベンダー、セイヨウトチノキ、オオアザミ、オレンジ緑茶、Ｐｈｙｔｅｘｃｅｌｌアルニカ、パープルコーンフラワー、セージＧＷ、セージスペシャル、Ｓｅｄａｐｌａｎｔ  Ｒｉｃｈｔｅｒ、セントジョンズワート、ウィッチヘーゼルＧＷ、ノコギリソウ、グレープシードエキス、緑茶エキストラ、白茶５０％、及びこれらの組み合わせで構成された群から選択される請求項１４に記載の方法。
【請求項１７】
チリダニのフンを中和する方法であって、
プロテアーゼ抑制水溶性薬剤を水の中に導入してプロテアーゼ抑制溶液を形成して、
チリダニを前記プロテアーゼ抑制溶液と接触させる、
ことからなることを特徴とする方法。
【請求項１８】
前記プロテアーゼ抑制水溶性薬剤が、リンゴ緑茶、アーキンスペシャル、アルニカスペシャル、アボカド、アボカドＧＷ、ブラックカラント緑茶、セイヨウバラ、ウングイスカティ、Ｃｅｍｉｌａ  Ｏｌｅｏｆｅｒａ、センテラ、クランベリー緑茶、たんぽぽ、ガルシニア、グレープシード、グレープフルーツ緑茶、緑茶、濃縮緑茶、緑茶ＨＳ、Ｈｅｘａｐｌａｎｔ  Ｒｉｃｈｅｒ、ハイビスカススペシャル、ハイドロコチレＧＲ、ラベンダー、セイヨウトチノキ、オオアザミ、オレンジ緑茶、Ｐｈｙｔｅｘｃｅｌｌアルニカ、パープルコーンフラワー、セージＧＷ、セージスペシャル、Ｓｅｄａｐｌａｎｔ  Ｒｉｃｈｔｅｒ、セントジョンズワート、ウィッチヘーゼルＧＷ、ノコギリソウ、グレープシードエキス、緑茶エキストラ、白茶５０％、及びこれらの組み合わせで構成された群から選択される請求項１７に記載の方法。
【請求項１９】
前記プロテアーゼ抑制水溶性薬剤が、約０．０１から約５００までのＢＡＰＮＡ−トリプシン抑制物（ＩＣ50×１０-3（％、ｖ／ｖ））を有する請求項１７に記載の方法。
【請求項２０】
チリダニのフンを中和するための方法であって、
約０．０１から約５００までのＢＡＰＮＡ−トリプシン抑制物（ＩＣ50×１０-3（％、ｖ／ｖ又はｗ／ｖ））を有する植物エキスを親水性の溶剤に溶解させ、溶解させた植物エキスを水の中に導入して水性植物エキス溶液を形成して、
チリダニのフンを前記水性植物エキス溶液と接触させる、
ことからなることを特徴とする方法。